(57)【要約】【課題】本発明の課題は、正しい受取人のみが、確実に、参照できるＦＡＸシステムを提供することである。【解決手段】第１のファクシミリ装置に、発信者識別情報を送信する第１のＩＣカードと、第１のＩＣカードから、発信者識別情報を受信して、これとファクシミリ文書特定情報とを含むファクシミリデータを作成して、第２のファクシミリ装置に、送信する第１のファクシミリ装置と、第１のファクシミリ装置から、ファクシミリデータを受信して保持して、第２のＩＣカードから、受信者識別情報を受信して、ファクシミリデータが持つ受信者識別情報と照合して、一致すれば、これを印刷する第２のファクシミリ装置と、第２のファクシミリ装置に受信者識別情報を送信する第２のＩＣカードと、から構成されることを特徴とする誤送信ＦＡＸ取消管理システムである。【選択図】図１
2008078953.tif 000002
【特許請求の範囲】
【請求項１】
接触型、または、非接触型ＩＣカードと、ファクシミリ装置と、から構成される誤送信ＦＡＸ取消管理システムであって、
第１のファクシミリ装置は、
受信者識別情報を含むＦＡＸ送信依頼の入力を受け付けるＦＡＸ送信依頼受付手段と、
ＦＡＸ発信者識別情報送信要求を、第１のＩＣカードに、送信する発信者識別情報送信要求手段と、
第１のＩＣカードから、発信者識別情報を受信する発信者識別情報受信手段と、
受信者識別情報とファクシミリ文書特定情報とを含むファクシミリデータを作成するファクシミリデータ作成手段と、
ファクシミリデータを、第２のファクシミリ装置に、送信するファクシミリデータ送信手段と、
ファクシミリ文書特定情報の入力を受け付けるファクシミリ文書特定情報受付手段と、
前記受け付けたファクシミリ文書特定情報を含むＦＡＸ取消請求を作成して、第２のファクシミリ装置に、送信するＦＡＸ取消請求手段と、
を備えるファクシミリ装置であって、
前記第１のＩＣカードは、
発信者識別情報を記憶する記憶手段と、
第１のファクシミリ装置から、発信者識別情報送信要求を受け付けて、前記発信者識別情報を返信する発信者識別情報返信手段と、
を備えるＩＣカードであって、
前記第２のファクシミリ装置は、
第１のファクシミリ装置から、ファクシミリデータを受信して保持するファクシミリデータ受信保持手段と、
第１のファクシミリ装置から、ＦＡＸ取消請求を受け付けて、ＦＡＸ取消請求のファクシミリ文書特定情報をキーにして、前記保持されたファクシミリデータが持つファクシミリ文書特定情報を照合して、前記キーと一致するファクシミリ文書特定情報のファクシミリデータを、削除するファクシミリデータ削除手段と、
ファクシミリ印刷依頼の入力を受け付けるファクシミリ印刷依頼受付手段と、
受信者識別情報送信要求を、第２のＩＣカードに、送信する受信者識別情報送信要求手段と、
第２のＩＣカードから、受信者識別情報を受信する受信者識別情報受信手段と、
前記受信された受信者識別情報を用いて、ファクシミリデータが持つ受信者識別情報と照合して、一致すれば、これを印刷するファクシミリデータ印刷手段と、
を備えるファクシミリ装置であって、
前記第２のＩＣカードは、
受信者識別情報を記憶する記憶手段と、
第２のファクシミリ装置から、受信者識別送信要求を受け付けて、受信者識別情報を返信する受信者識別情報返信手段と、
を備えるＩＣカードである、
ことを特徴とする誤送信ＦＡＸ取消管理システム。
【請求項２】
第１のファクシミリ装置は、
ファクシミリ文書特定情報を含む発信履歴データを作成して、第２のファクシミリ装置に、送信する発信履歴作成送信手段と、
発信履歴表示請求の入力を受け付ける発信履歴表示請求入力手段と、
発信履歴送信請求を、第１のＩＣカードに、送信して、発信履歴データの返信を受け付ける発信履歴受付手段と、
前記受け付けされた発信履歴データを、表示する発信履歴表示手段と、
を備えるファクシミリ装置であって、
前記第１のＩＣカードは、
第１のファクシミリ装置から、発信履歴データを受信して、記録する発信履歴受信記録手段と、
第１のファクシミリ装置から、発信履歴送信請求を受け付けて、発信履歴データを返信する発信履歴返信手段と、
を備えるＩＣカードである、
ことを特徴とする請求項１に記載の誤送信ＦＡＸ取消管理システム。
【請求項３】
第１のファクシミリ装置は、
前記発信履歴表示請求入力手段が、暗証情報を含む発信履歴表示請求の入力を受け付ける、
ファクシミリ装置であって、
第１のＩＣカードは、
前記記憶手段が、暗証情報を含む発信者認証情報を記憶して、
前記発信履歴表示請求手段が、暗証情報を含む発信履歴表示請求の入力を受け付けて、
前記発信履歴送信請求手段が、発信履歴表示請求に含まれる暗証情報を、発信者認証情報の暗証情報と照合して、発信者認証して、発信履歴送信請求を、第１のＩＣカードに、送信する、
ＩＣカードである、
ことを特徴とする請求項１、または、請求項２に記載の誤送信ＦＡＸ取消管理システム。
【請求項４】
第２のファクシミリ装置は、
前記ファクシミリ印刷依頼受付手段が、暗証情報を含むファクシミリ印刷依頼の入力を受け付けて、
前記受信者識別情報送信要求手段が、前記受け付けられた暗証情報を含む受信者識別情報送信要求を、第２のＩＣカードに、送信する、
ファクシミリ装置であって、
第２のＩＣカードは、
前記記憶手段が、暗証情報を含む受信者認証情報を記憶して、
前記受信者識別情報返信手段が、第２のファクシミリ装置から、受信者識別送信要求を受け付けて、これに含まれる暗証情報を、受信者認証情報の暗証情報と照合して、受信者認証して、受信者識別情報を返信する、
ＩＣカードである、
ことを特徴とする請求項１から、請求項３のいずれか１項に記載の誤送信ＦＡＸ取消管理システム。
【請求項５】
発信者識別情報と、受信者識別情報と、
を用いる誤送信ＦＡＸ取消管理方法であって、
受信者識別情報を含むＦＡＸ送信依頼の入力を受け付けるＦＡＸ送信依頼受付ステップと、
ＦＡＸ発信者識別情報送信要求を送信して、発信者識別情報を受け取る発信者識別情報受取ステップと、
前記受け付けられた受信者識別情報と、前記受け取った受信者識別情報と、ファクシミリ文書特定情報と、を含むファクシミリデータを作成して、送信するファクシミリデータ送信ステップと、
前記送信されたファクシミリデータを受信して保持するファクシミリデータ受信保持ステップと、
ファクシミリ文書特定情報の入力を受け付けて、これを含むＦＡＸ取消請求を、送信するＦＡＸ取消請求ステップと、
ＦＡＸ取消請求を受け付けて、ＦＡＸ取消請求のファクシミリ文書特定情報をキーにして、前記保持されたファクシミリデータが持つファクシミリ文書特定情報を照合して、キーと一致するファクシミリ文書特定情報のファクシミリデータを、削除するファクシミリデータ削除ステップと、
ファクシミリ印刷依頼の入力を受け付けるファクシミリ印刷依頼受付ステップと、
受信者識別情報送信要求を、送信して、受信者識別情報を受信して、前記保持されたファクシミリデータが持つ受信者識別情報と照合して、一致すれば、これを印刷するファクシミリデータ印刷ステップと、
を含んだ手順でなされることを特徴とする誤送信ＦＡＸ取消管理方法。
【請求項６】
ファクシミリ文書特定情報を含む発信履歴データを作成して、記録する発信履歴記録ステップと、
発信履歴表示請求の入力を受け付けて、前記記録された発信履歴データを、表示する発信履歴表示ステップと、
を含んだ手順でなされることを特徴とする誤送信ＦＡＸ取消管理方法。
【請求項７】
前記発信者認証情報が暗証情報を含む発信者認証情報を用いる誤送信ＦＡＸ取消管理方法であって、
ステップと、
前記発信履歴表示請求ステップが、暗証情報を含む発信履歴表示請求の入力を受け付けて、
前記発信履歴送信請求ステップが、発信履歴表示請求に含まれる暗証情報を、発信者認証情報の暗証情報と照合して、発信者認証して、発信履歴送信請求を、送信する、
ことを特徴とする誤送信ＦＡＸ取消管理方法。
【請求項８】
前記受信者認証情報が暗証情報を含む認証情報を用いる誤送信ＦＡＸ取消管理方法であって、
前記ファクシミリ印刷依頼受付ステップが、暗証情報を含むファクシミリ印刷依頼の入力を受け付けて、送信する、
前記受信者識別情報返信ステップが、受信者識別送信要求を受け付けて、これに含まれる暗証情報を、受信者認証情報の暗証情報と照合して、受信者認証して、受信者識別情報を返信する、
ことを特徴とする誤送信ＦＡＸ取消管理方法。
【請求項９】
コンピュータに組込むことによって、コンピュータを請求項１から、請求項４のいずれか１項に記載の誤送信ＦＡＸ取消管理システムとして動作させるコンピュータプログラム。
【請求項１０】
請求項９に記載のコンピュータプログラムを記録したコンピュータ読取り可能な記録媒体。
【発明の詳細な説明】
【技術分野】
【０００１】
本発明は、誤送信したファクシミリ文書を削除できるＦＡＸシステム、および、その方法に関するものである。
【０００２】
従来から、ＦＡＸシステムを用いて、文書の電送が行われている。
【背景技術】
【０００３】
たとえば、特許文献１では、受信したファクシミリ文書を転送するときに、印刷されたファクシミリ文書の受取人を明確にさせるために、受取人名称を画像化して追加する技術が開示されている。（従来技術１）
また、特許文献２では、予め、ファクシミリ文書の画像の中から、受取人の名前や識別コードを認識して、受取人ごとにファイリングしたＦＡＸ情報（＝ファクシミリ文書）を、受取人の照会に応じて提供する技術が開示されている。（従来技術２）
【特許文献１】特開２０００−３４９９４０号公報（３〜４ページ、図６）
【特許文献１】特開特開平６−２６１１９１号公報（３〜４ページ、図４，５）
【発明の開示】
【発明が解決しようとする課題】
【０００４】
ところで、従来技術１や従来技術２では、誤った受取人に、ファクシミリ文書を送信しても、これを回収できないという問題点があった。
また、受取人以外の人間でも、ファクシミリ文書を、参照できるという欠点があった。
【０００５】
本発明はこのような従来技術を考慮してなされたものであって、本発明の課題は、正しい受取人のみが、確実に、参照できるＦＡＸシステムを提供することである。
【課題を解決するための手段】
【０００６】
本発明は、以下のような解決手段により、前記課題を解決する。すなわち、請求項１の発明は、接触型、または、非接触型ＩＣカードと、ファクシミリ装置と、から構成される誤送信ＦＡＸ取消管理システムであって、第１のファクシミリ装置は、受信者識別情報を含むＦＡＸ送信依頼の入力を受け付けるＦＡＸ送信依頼受付手段と、ＦＡＸ発信者識別情報送信要求を、第１のＩＣカードに、送信する発信者識別情報送信要求手段と、第１のＩＣカードから、発信者識別情報を受信する発信者識別情報受信手段と、受信者識別情報とファクシミリ文書特定情報とを含むファクシミリデータを作成するファクシミリデータ作成手段と、ファクシミリデータを、第２のファクシミリ装置に、送信するファクシミリデータ送信手段と、ファクシミリ文書特定情報の入力を受け付けるファクシミリ文書特定情報受付手段と、前記受け付けたファクシミリ文書特定情報を含むＦＡＸ取消請求を作成して、第２のファクシミリ装置に、送信するＦＡＸ取消請求手段と、を備えるファクシミリ装置であって、前記第１のＩＣカードは、発信者識別情報を記憶する記憶手段と、第１のファクシミリ装置から、発信者識別情報送信要求を受け付けて、前記発信者識別情報を返信する発信者識別情報返信手段と、を備えるＩＣカードであって、前記第２のファクシミリ装置は、第１のファクシミリ装置から、ファクシミリデータを受信して保持するファクシミリデータ受信保持手段と、第１のファクシミリ装置から、ＦＡＸ取消請求を受け付けて、ＦＡＸ取消請求のファクシミリ文書特定情報をキーにして、前記保持されたファクシミリデータが持つファクシミリ文書特定情報を照合して、前記キーと一致するファクシミリ文書特定情報のファクシミリデータを、削除するファクシミリデータ削除手段と、ファクシミリ印刷依頼の入力を受け付けるファクシミリ印刷依頼受付手段と、受信者識別情報送信要求を、第２のＩＣカードに、送信する受信者識別情報送信要求手段と、第２のＩＣカードから、受信者識別情報を受信する受信者識別情報受信手段と、前記受信された受信者識別情報を用いて、ファクシミリデータが持つ受信者識別情報と照合して、一致すれば、これを印刷するファクシミリデータ印刷手段と、を備えるＩＣカードであって、前記第２のＩＣカードは、受信者識別情報を記憶する記憶手段と、第２のファクシミリ装置から、受信者識別送信要求を受け付けて、受信者識別情報を返信する受信者識別情報返信手段と、を備えるＩＣカードである、ことを特徴とする誤送信ＦＡＸ取消管理システムである。
【０００７】
ここで、誤った受取人に送信されたファクシミリ文書は、確実に削除することができる。
【０００８】
請求項２の発明は、第１のファクシミリ装置は、ファクシミリ文書特定情報を含む発信履歴データを作成して、第２のファクシミリ装置に、送信する発信履歴作成送信手段と、発信履歴表示請求の入力を受け付ける発信履歴表示請求入力手段と、発信履歴送信請求を、第１のＩＣカードに、送信して、発信履歴データの返信を受け付ける発信履歴受付手段と、前記受け付けされた発信履歴データを、表示する発信履歴表示手段と、を備えるファクシミリ装置であって、前記第１のＩＣカードは、第１のファクシミリ装置から、発信履歴データを受信して、記録する発信履歴受信記録手段と、第１のファクシミリ装置から、発信履歴送信請求を受け付けて、発信履歴データを返信する発信履歴返信手段と、を備えるＩＣカードである、ことを特徴とする請求項１に記載の誤送信ＦＡＸ取消管理システムである。
【０００９】
そこで、発信履歴データを用いることで、削除したいファクシミリ文書を、正確にしてすることが可能となる。
【００１０】
請求項３の発明は、第１のファクシミリ装置は、前記発信履歴表示請求入力手段が、暗証情報を含む発信履歴表示請求の入力を受け付ける、ファクシミリ装置であって、第１のＩＣカードは、前記記憶手段が、暗証情報を含む発信者認証情報を記憶して、前記発信履歴表示請求手段が、暗証情報を含む発信履歴表示請求の入力を受け付けて、前記発信履歴送信請求手段が、発信履歴表示請求に含まれる暗証情報を、発信者認証情報の暗証情報と照合して、発信者認証して、発信履歴送信請求を、第１のＩＣカードに、送信する、ＩＣカードである、ことを特徴とする請求項１、または、請求項２に記載の誤送信ＦＡＸ取消管理システムである。
【００１１】
他の送信者が送信したファクシミリ文書を、誤って、削除することが無い。
【００１２】
請求項４の発明は、第２のファクシミリ装置は、前記ファクシミリ印刷依頼受付手段が、暗証情報を含むファクシミリ印刷依頼の入力を受け付けて、前記受信者識別情報送信要求手段が、前記受け付けられた暗証情報を含む受信者識別情報送信要求を、第２のＩＣカードに、送信する、ファクシミリ装置であって、第２のＩＣカードは、前記記憶手段が、暗証情報を含む受信者認証情報を記憶して、前記受信者識別情報返信手段が、第２のファクシミリ装置から、受信者識別送信要求を受け付けて、これに含まれる暗証情報を、受信者認証情報の暗証情報と照合して、受信者認証して、受信者識別情報を返信する、ＩＣカードである、ことを特徴とする請求項１から、請求項３のいずれか１項に記載の誤送信ＦＡＸ取消管理システムである。
【００１３】
正当な受信者のファクシミリ文書だけを、参照させることができる。
【００１４】
請求項５の発明は、発信者識別情報と、受信者識別情報と、を用いる誤送信ＦＡＸ取消管理方法であって、受信者識別情報を含むＦＡＸ送信依頼の入力を受け付けるＦＡＸ送信依頼受付ステップと、ＦＡＸ発信者識別情報送信要求を送信して、発信者識別情報を受け取る発信者識別情報受取ステップと、前記受け付けられた受信者識別情報と、前記受け取った受信者識別情報と、ファクシミリ文書特定情報と、を含むファクシミリデータを作成して、送信するファクシミリデータ送信ステップと、前記送信されたファクシミリデータを受信して保持するファクシミリデータ受信保持ステップと、ファクシミリ文書特定情報の入力を受け付けて、これを含むＦＡＸ取消請求を、送信するＦＡＸ取消請求ステップと、ＦＡＸ取消請求を受け付けて、ＦＡＸ取消請求のファクシミリ文書特定情報をキーにして、前記保持されたファクシミリデータが持つファクシミリ文書特定情報を照合して、キーと一致するファクシミリ文書特定情報のファクシミリデータを、削除するファクシミリデータ削除ステップと、ファクシミリ印刷依頼の入力を受け付けるファクシミリ印刷依頼受付ステップと、受信者識別情報送信要求を、送信して、受信者識別情報を受信して、前記保持されたファクシミリデータが持つ受信者識別情報と照合して、一致すれば、これを印刷するファクシミリデータ印刷ステップと、を含んだ手順でなされることを特徴とする誤送信ＦＡＸ取消管理方法である。
【００１５】
請求項６の発明は、ファクシミリ文書特定情報を含む発信履歴データを作成して、記録する発信履歴記録ステップと、発信履歴表示請求の入力を受け付けて、前記記録された発信履歴データを、表示する発信履歴表示ステップと、を含んだ手順でなされることを特徴とする誤送信ＦＡＸ取消管理方法である。
【００１６】
請求項７の発明は、前記発信者認証情報が暗証情報を含む発信者認証情報を用いる誤送信ＦＡＸ取消管理方法であって、ステップと、前記発信履歴表示請求ステップが、暗証情報を含む発信履歴表示請求の入力を受け付けて、前記発信履歴送信請求ステップが、発信履歴表示請求に含まれる暗証情報を、発信者認証情報の暗証情報と照合して、発信者認証して、発信履歴送信請求を、送信する、ことを特徴とする誤送信ＦＡＸ取消管理方法である。
【００１７】
請求項８の発明は、前記受信者認証情報が暗証情報を含む認証情報を用いる誤送信ＦＡＸ取消管理方法であって、前記ファクシミリ印刷依頼受付ステップが、暗証情報を含むファクシミリ印刷依頼の入力を受け付けて、送信する、前記受信者識別情報返信ステップが、受信者識別送信要求を受け付けて、これに含まれる暗証情報を、受信者認証情報の暗証情報と照合して、受信者認証して、受信者識別情報を返信する、ことを特徴とする誤送信ＦＡＸ取消管理方法である。
【００１８】
請求項９の発明は、コンピュータに組込むことによって、コンピュータを請求項１から、請求項４のいずれか１項に記載の誤送信ＦＡＸ取消管理システムとして動作させるコンピュータプログラムである。
【００１９】
請求項１０の発明は、請求項９に記載のコンピュータプログラムを記録したコンピュータ読取り可能な記録媒体である。
【発明の効果】
【００２０】
本願発明によれば、誤った受取人に、ファクシミリ文書を送信し場合には、これを回収することが可能となる。
また、受取人以外の人間に、所定のファクシミリ文書を、参照させないことが可能となる。
【発明を実施するための最良の形態】
【００２１】
（実施例）
以下、図面等を参照しながら、本発明の実施の形態について、更に詳しく説明する。
【００２２】
図１は、誤送信ＦＡＸ取消管理システム１の概要を説明する図である。誤送信ＦＡＸ取消管理システム１は、接触型、または、非接触型ＩＣカード１００と、ファクシミリ装置３００と、から構成される。
【００２３】
ここで、ファクシミリ文書の発信に用いるファクシミリ装置３００を、第１のファクシミリ装置３００ａと称して、ファクシミリ文書の受信に用いるファクシミリ装置３００を、第２のファクシミリ装置３００ｂと称する。第１のファクシミリ装置３００ａと第２のファクシミリ装置３００ｂとは、通信回線にて接続される。
【００２４】
また、第１のファクシミリ装置３００ａにて用いるＩＣカード１００を、第１のＩＣカード１００ａと称して、第２のファクシミリ装置３００ｂにて用いるＩＣカード１００を、第２のＩＣカード１００ｂと称する。
【００２５】
第１のＩＣカード１００ａは、発信者識別情報１９１と、発信者認証情報１９３と、を記憶する。第２のＩＣカード１００ｂは、受信者識別情報１９２と、受信者認証情報１９４と、を記憶する。ファクシミリ装置３００は、ＩＣカード読取装置を備える。第２のファクシミリ装置３００ｂは、ファクシミリデータ３９９を記憶する。
【００２６】
なお、発信者認証情報１９３は、送信者暗証情報を含む情報である。受信者認証情報１９３は、受信者暗証情報を含む情報である。
【００２７】
第１のＩＣカード１００ａは、第２のＩＣカード１００ｂとして用いてもよいので、発信者識別情報１９１を、受信者識別情報１９１として、用いてもよい。同様に、発信者認証情報１９３を、受信者認証情報１９４として、用いてもよい。
【００２８】
図２は、誤送信ＦＡＸ取消管理システム１の大まかな処理の流れを説明する。
【００２９】
第１のファクシミリ装置３００ａは、受信者識別情報を含むＦＡＸ送信依頼の入力を受け付けて、ＦＡＸ発信者識別情報送信要求を、第１のＩＣカードに、送信する（図２（１））。第１のＩＣカード１００ａは、第１のファクシミリ装置から、発信者識別情報送信要求を受け付けて、前記発信者識別情報を返信する（同（２））。第１のファクシミリ装置３００ａは、第１のＩＣカードから、発信者識別情報を受信する（同（３））。
【００３０】
第１のファクシミリ装置３００ａは、受信者識別情報とファクシミリ文書特定情報とを含むファクシミリデータを作成して、第２のファクシミリ装置に、送信する（同（４））。第２のファクシミリ装置３００ｂは、第１のファクシミリ装置から、ファクシミリデータを受信して保持する（同（５））。
【００３１】
第１のファクシミリ装置３００ａは、ファクシミリ文書特定情報を含む発信履歴データ１９５を作成して、第１のＩＣカード１００ａに、送信する（同（６））。第１のＩＣカード１００ａは、第１のファクシミリ装置から、発信履歴データ１９５を受信して、記録する（同（７））。
【００３２】
第１のファクシミリ装置３００ａは、暗証情報を含む発信履歴表示請求の入力を受け付けて、暗証情報を含む発信履歴送信請求を作成して、第１のＩＣカードに、送信する（同（８））。第１のＩＣカード１００ａは、第１のファクシミリ装置から、発信履歴送信請求を受け付けて、暗証情報を用いて、発信者認証情報を参照して、発信者認証をして、発信履歴データを返信する（同（９））。
【００３３】
発信者認証をすることで、誤って、他の送信者の発信履歴データを、受信することが無いという利点がある。
【００３４】
第１のファクシミリ装置３００ａは、発信履歴データの返信を受け付けて、表示する。ファクシミリ文書特定情報の選択情報の入力を受け付けて、これを用いて、ファクシミリ文書特定情報含むＦＡＸ取消請求を作成して、第２のファクシミリ装置に、送信する（同（１０））。
【００３５】
発信履歴データを用いることで、削除したいファクシミリ文書を、正確に指定することが可能となるという効果が得られる。
【００３６】
第２のファクシミリ装置３００ｂは、第１のファクシミリ装置から、ＦＡＸ取消請求を受け付けて、前記保持されたファクシミリデータを照合して、取消請求されたファクシミリデータを、削除する（同（１１））。
【００３７】
このように、誤った受取人に送信されたファクシミリ文書は、確実に削除することができるという利点がある。
【００３８】
第２のファクシミリ装置３００ｂは、暗証情報を含むファクシミリ印刷依頼の入力を受け付けて、この暗証情報を含む受信者識別情報送信要求を、第２のＩＣカードに、送信する（同（１２））。第２のＩＣカード１００ｂは、第２のファクシミリ装置から、受信者識別送信要求を受け付けて、これに含まれる暗証情報を、受信者認証情報と照合して、受信者認証して、受信者識別情報を返信する（同（１３））。第２のファクシミリ装置３００ｂは、第２のＩＣカードから、受信者識別情報を受信して、ファクシミリデータが持つ受信者識別情報と照合して、一致すれば、これを印刷する（同（１４））。
【００３９】
このように、受信者には、本人宛てのファクシミリ文書だけを参照させて、他人のファクシミリ文書は参照させないという効果が得られる。
【００４０】
なお、発信者を認証しなくても、よい。同様に、受信者を認証しなくても、よい。
【００４１】
図３と図４とは、誤送信ＦＡＸ取消管理システム１の詳細な構成図である。
誤送信ＦＡＸ取消管理システム１は、接触型、または、非接触型ＩＣカード１００と、ファクシミリ装置３００と、から構成される。
【００４２】
図３は、第１のファクシミリ装置３００ａと、第１のＩＣカード１００ａと、詳細な構成図である。
【００４３】
ファクシミリ文書の発信に用いる第１のファクシミリ装置３００ａは、ＦＡＸ送信依頼受付手段３１０と、発信者識別情報送信要求手段３１５と、発信者識別情報受信手段３１７と、ファクシミリデータ作成手段３３０と、ファクシミリデータ送信手段３３５と、発信履歴作成送信手段３４５と、発信履歴表示請求入力手段３５０と、発信履歴送信請求手段３５５と、発信履歴受付手段３５７と、発信履歴表示手段３７０と、ファクシミリ文書特定情報受付手段３８０と、ＦＡＸ取消請求手段３８５と、を備える。
【００４４】
ＦＡＸ送信依頼受付手段３１０は、受信者識別情報を含むＦＡＸ送信依頼の入力を受け付ける。
【００４５】
発信者識別情報送信要求手段３１５は、ＦＡＸ発信者識別情報送信要求を、第１のＩＣカードに、送信する。
発信者識別情報受信手段３１７は、第１のＩＣカードから、発信者識別情報を受信する。
【００４６】
ファクシミリデータ作成手段３３０は、受信者識別情報とファクシミリ文書特定情報とを含むファクシミリデータを作成する。ファクシミリデータ送信手段３３５は、ファクシミリデータを、第２のファクシミリ装置に、送信する。
【００４７】
ファクシミリ文書特定情報受付手段３８０は、ファクシミリ文書特定情報の入力を受け付ける。ＦＡＸ取消請求手段３８５は、前記受け付けたファクシミリ文書特定情報を含むＦＡＸ取消請求を作成して、第２のファクシミリ装置に、送信する。
【００４８】
発信履歴作成送信手段３４５は、ファクシミリ文書特定情報を含む発信履歴データを作成して、第２のファクシミリ装置に、送信する。
【００４９】
発信履歴表示請求入力手段３５０は、暗証情報を含む発信履歴表示請求の入力を受け付ける。
【００５０】
発信履歴送信請求手段３５５は、発信履歴表示請求に含まれる暗証情報を、発信者認証情報の暗証情報と照合して、一致すれば、発信者認証して、発信履歴送信請求を、第１のＩＣカードに、送信する。発信履歴受付手段３５７は、第１のＩＣカードから、発信履歴データの返信を受け付ける。
【００５１】
発信履歴表示手段３７０は、前記受け付けされた発信履歴データを、表示する。
【００５２】
第１のＩＣカード１００ａは、発信者識別情報返信手段１１５と、発信履歴受信記録手段１４５と、発信履歴返信手段１５５と、記憶手段１９０と、を備える。記憶手段１９０は、発信者識別情報１９１と、発信者認証情報１９３と、発信履歴で９５と、を記憶する。
【００５３】
発信者認証情報１９３は、暗証情報を含む情報である。
【００５４】
発信者識別情報返信手段１１５は、第１のファクシミリ装置から、発信者識別情報送信要求を受け付けて、前記発信者識別情報を返信する。
【００５５】
発信履歴受信記録手段１４５は、第１のファクシミリ装置から、発信履歴データを受信して、記録する。
【００５６】
発信履歴返信手段１５５は、第１のファクシミリ装置から、発信履歴送信請求を受け付けて、発信履歴データを返信する。
【００５７】
図４は、第２のファクシミリ装置３００ｂと、第２のＩＣカード１００ｂと、詳細な構成図である。
【００５８】
第２のファクシミリ装置３００ｂは、ファクシミリ印刷依頼受付手段３２０と、受信者識別情報送信要求手段３２５と、受信者識別情報受信手段３２７と、ファクシミリデータ印刷手段３６０と、ファクシミリデータ受信保持手段３３７と、ファクシミリデータ削除手段３８７と、記憶手段３９０と、を備える。記憶手段３９０は、ファクシミリデータ３９９を記憶する。
【００５９】
ファクシミリデータ受信保持手段３３７は、第１のファクシミリ装置から、ファクシミリデータを受信して保持する。
【００６０】
ファクシミリデータ削除手段３８７は、第１のファクシミリ装置から、ＦＡＸ取消請求を受け付けて、ＦＡＸ取消請求のファクシミリ文書特定情報をキーにして、前記保持されたファクシミリデータが持つファクシミリ文書特定情報を照合して、前記キーと一致するファクシミリ文書特定情報のファクシミリデータを、削除する。
【００６１】
ファクシミリ印刷依頼受付手段３２０は、暗証情報を含むファクシミリ印刷依頼の入力を受け付ける。受信者識別情報送信要求手段３２５は、前記受け付けられた暗証情報を含む受信者識別情報送信要求を、第２のＩＣカードに、送信する。受信者識別情報受信手段３２７は、第２のＩＣカードから、受信者識別情報を受信する。
【００６２】
ファクシミリデータ印刷手段３６０は、前記受信された受信者識別情報を用いて、ファクシミリデータが持つ受信者識別情報と照合して、一致すれば、これを印刷する。
【００６３】
前記第２のＩＣカード１００ｂは、受信者識別情報返信手段１２５と、記憶手段１９０と、を備える。記憶手段１９０は、受信者識別情報１９２と、受信者認証情報１９４と、を記憶する。
【００６４】
受信者認証情報１９４は、暗証情報を含む情報である。
【００６５】
受信者識別情報返信手段１２５は、第２のファクシミリ装置から、受信者識別送信要求を受け付けて、これに含まれる暗証情報を、受信者認証情報の暗証情報と照合して、受信者認証して、受信者識別情報を返信する。
【００６６】
発信者識別情報返信手段１１５と、受信者識別情報返信手段１２５と、発信履歴受信記録手段１４５と、発信履歴返信手段１５５と、ＦＡＸ送信依頼受付手段３１０と、発信者識別情報送信要求手段３１５と、発信者識別情報受信手段３１７と、ファクシミリ印刷依頼受付手段３２０と、受信者識別情報送信要求手段３２５と、受信者識別情報受信手段３２７と、ファクシミリデータ作成手段３３０と、ファクシミリデータ送信手段３３５と、ファクシミリデータ受信保持手段３３７と、発信履歴作成送信手段３４５と、発信履歴表示請求入力手段３５０と、発信履歴送信請求手段３５５と、発信履歴受付手段３５７と、発信履歴表示手段３７０と、ファクシミリデータ印刷手段３６０と、ファクシミリ文書特定情報受付手段３８０と、ＦＡＸ取消請求手段３８５と、ファクシミリデータ削除手段３８７と、は、コンピュータプログラムである。
【００６７】
発信者識別情報１９１と、受信者識別情報１９２と、発信者認証情報１９３と、受信者認証情報１９４と、発信履歴データ１９５と、ファクシミリデータ３９９と、は、コンピュータプログラムが可読なデータである。記憶手段１９０と、記憶手段３９０と、は、メモリである。
【００６８】
図４は、ファクシミリデータ３９９の構造を説明する図である。ファクシミリデータ３９９の項目は、ファクシミリ文書特定情報３９９ａと、発信者識別情報３９９ｂと、受信者識別情報３９９ｃと、印刷データ３９９ｄと、から構成される。
【００６９】
ファクシミリ文書特定情報３９９ａは、ファクシミリ文書を特定する文字列である。たとえば、連続数字列である。発信者識別情報３９９ｂは、ユニークな発信者ＩＤ番号である。受信者識別情報３９９ｃは、ユニークな受信者ＩＤ番号である。印刷データ３９９ｄは、2値画像データである。
【００７０】
図５は、発信履歴データ１９５の構造を説明する図である。発信履歴データ１９５の項目は、発信者識別情報１９５ａと、受信者識別情報１９５ｂと、ファクシミリ文書特定情報１９５ｃと、送信日時情報１９５ｄと、送信先接続情報１９５ｅと、から構成される。
【００７１】
発信者識別情報１９５ａは、ユニークな発信者ＩＤ番号である。受信者識別情報１９５ｂは、ユニークな受信者ＩＤ番号である。ファクシミリ文書特定情報１９５ｃは、ファクシミリ文書を特定する文字列で、たとえば、連続数字列である。送信日時情報１９５ｄは、日時・時刻である。受信先接続情報１９５ｅは、第２のファクシミリ装置３００ｂの接続情報で、たとえば、電話番号である。
【００７２】
以上詳しく説明したように、本願発明によれば、誤った受取人に、ファクシミリ文書を送信し場合には、これを回収することが可能となった。
また、受取人以外の人間に、所定のファクシミリ文書を、参照させないことが可能となった。
【図面の簡単な説明】
【００７３】
【図１】誤送信ＦＡＸ取消管理システムの全体構成
【図２】誤送信ＦＡＸ取消管理システム１の大まかな処理の流れ
【図３】誤送信ＦＡＸ取消管理システム１の詳細な構成図（１）
【図４】誤送信ＦＡＸ取消管理システム１の詳細な構成図（２）
【図５】ファクシミリデータ３９９の形式
【図６】発信履歴データ１９５の形式
【符号の説明】
【００７４】
１  ＦＡＸ取消管理システム
１００  接触型、または、非接触型ＩＣカード
１００ａ  第１のＩＣカード
１１５  発信者識別情報返信手段
１２５  受信者識別情報返信手段
１４５  発信履歴受信記録手段
１５５  発信履歴返信手段
１００ｂ  第２のＩＣカード
１９０  記憶手段
１９１  発信者識別情報
１９２  受信者識別情報
１９３  発信者認証情報
１９４  受信者認証情報
１９５  発信履歴データ
１９５ａ  発信者識別情報
１９５ｂ  受信者識別情報
１９５ｃ  ファクシミリ文書特定情報
１９５ｄ  送信日時情報
１９５ｅ  送信先接続情報
３００  ファクシミリ装置
３００ａ  第１のファクシミリ装置
３００ｂ  第２のファクシミリ装置
３９０  記憶手段
３９９  ファクシミリデータ
３９９ａ  ファクシミリ文書特定情報
３９９ｂ  発信者識別情報
３９９ｃ  受信者識別情報
３９９ｄ  印刷データ
３１０  ＦＡＸ送信依頼受付手段
３１５  発信者識別情報送信要求手段
３１７  発信者識別情報受信手段
３２０  ファクシミリ印刷依頼受付手段
３２５  受信者識別情報送信要求手段
３２７  受信者識別情報受信手段
３３０  ファクシミリデータ作成手段
３３５  ファクシミリデータ送信手段
３３７  ファクシミリデータ受信保持手段
３４５  発信履歴作成送信手段
３５０  発信履歴表示請求入力手段
３５５  発信履歴送信請求手段
３５７  発信履歴受付手段
３７０  発信履歴表示手段
３６０  ファクシミリデータ印刷手段
３８５ＦＡＸ取消請求手段
３８７ファクシミリデータ削除手段
３８０ファクシミリ文書特定情報受付手段
【図１】
2008078953.tif 000003
【図２】
2008078953.tif 000004
【図３】
2008078953.tif 000005
【図４】
2008078953.tif 000006
【図５】
2008078953.tif 000007
【図６】
2008078953.tif 000008